(57)【要約】【課題】  ノーズパッド１３やクリングス１１を極めて容易に交換することができるノーズパッド取付構造１及び眼鏡フレーム２を提供する。【解決手段】ノーズパッド取付構造１は、眼鏡フレーム２のレンズ枠を構成する左右一対のリム７を連結するブリッジ８に、眼鏡装着者の鼻を押さえるノーズパッド１３を着脱自在に固定するノーズパッド取付構造１であって、互いに間隔を開けて、ブリッジ８から接眼方向に突出して設けられる一対の突起部９と、該一対の突起部９の間に嵌入され、当該一対の突起部９を互いに離反する方向に付勢しつつ固定される弾性体からなる湾曲部１０、及び該湾曲部１０に一体形成されて接眼方向に延びるクリングス１１から成る支持体１２と、前記クリングス１１の先端に固定されるノーズパッド１３と、を備える。【選択図】図３
2011064921.tif 000002
【特許請求の範囲】
【請求項１】
眼鏡のレンズ枠を構成する左右一対のリムを連結するブリッジに、眼鏡装着者の鼻を押さえるノーズパッドを着脱自在に固定するノーズパッド取付構造であって、
互いに間隔を開けて、ブリッジから接眼方向に突出して設けられる一対の突起部と、
該一対の突起部の間に嵌入され、当該一対の突起部を互いに離反する方向に付勢しつつ当該一対の突起部にその両端部を固定される弾性体からなる湾曲部、及び該湾曲部に一体形成されて少なくとも接眼方向に延びるクリングスから成る支持体と、
前記クリングスの先端に固定されるノーズパッドと、を備えることを特徴とするノーズパッド取付構造。
【請求項２】
前記一対の突起部は、一方の端部が前記ブリッジに埋設されることを特徴とする請求項１に記載のノーズパッド取付構造。
【請求項３】
前記一対の突起部は、前記ブリッジのほぼ中央に形成された切り欠き部の相対向する側面から突出して設けられたものであることを特徴とする請求項１に記載のノーズパッド取付構造。
【請求項４】
前記一対の突起部は、前記ブリッジに一体形成されたものであることを特徴とする請求項１又は請求項３に記載のノーズパッド取付構造。
【請求項５】
請求項１から請求項４のいずれかに記載のノーズパッド取付構造を用いることを特徴とする眼鏡フレーム。
【発明の詳細な説明】
【技術分野】
【０００１】
この発明は、眼鏡のレンズ枠を構成する左右一対のリムを連結するブリッジに、眼鏡装着者の鼻を押さえるノーズパッドを固定するノーズパッド取付構造、及びそのノーズパッド取付構造を備える眼鏡フレームに関し、特に、ブリッジにクリングスを設けて、このクリングスを介してノーズパッドを支持するノーズパッド取付構造及び眼鏡フレームに関する。
【背景技術】
【０００２】
従来より眼鏡を装着する際には、テンプルの先端を装着者の耳の上に掛けるとともに、フロントフレームの中央部分を装着者の鼻に当接させて、眼鏡を装着者にフィットさせている。この装着者の鼻に当接させる部分の形状としては、左右一対のリムを連結するブリッジを直接鼻の上に置くものやリム又はブリッジに一体形成したノーズパッドを鼻に当接させるものの他に、リム又はブリッジに細い金属棒を種々の形状に折り曲げて形成されたクリングスの基端部を固定して、このクリングスの先端にノーズパッドを固定するものが挙げられる。
【０００３】
上述のように、リム又はブリッジとノーズパッドとの間にクリングスを介在させると、装着者の鼻の形状に応じてクリングスを変形させることによりノーズパッドの角度や高さを調整することができ、眼鏡の装着性をより良くすることができる利点がある。
【０００４】
ところで、このようなクリングスの基端部をリム又はブリッジに固定する際には、例えば特許文献１に記載されるように、リム又はブリッジにクリングスの基端部を埋め込んで固定するものや、特許文献２に記載されるように、ロウ付けや溶接によって固定するものが、従来技術として開示されている。
【先行技術文献】
【特許文献】
【０００５】
【特許文献１】実開平３−１１２１９号公報
【特許文献２】特開２００５−１２２０６４号公報
【発明の概要】
【発明が解決しようとする課題】
【０００６】
しかし、上述のようにクリングスを埋め込み、ロウ付け、又は溶接によって固定する場合は、取り付け作業及び取り外し作業が複雑で手間のかかるものとなり、店舗などで簡単に交換することは困難となる。一方、クリングスは変形できる範囲に限りがあり、装着者の鼻の形状によっては、クリングスの変形だけではノーズパッドの角度や高さを十分に調整することができない場合もあり、また、ノーズパッドやクリングスを破損した場合などクリングスを交換したい場合も多い。
【０００７】
そこで、本発明はノーズパッドやクリングスを極めて容易に交換することができるノーズパッド取付構造及び眼鏡フレームを提供することを目的とする。
【課題を解決するための手段】
【０００８】
請求項１に記載のノーズパッド取付構造は、眼鏡のレンズ枠を構成する左右一対のリムを連結するブリッジに、眼鏡装着者の鼻を押さえるノーズパッドを着脱自在に固定するノーズパッド取付構造であって、互いに間隔を開けて、ブリッジから接眼方向に突出して設けられる一対の突起部と、該一対の突起部の間に嵌入され、当該一対の突起部を互いに離反する方向に付勢しつつ当該一対の突起部にその両端部を固定される弾性体からなる湾曲部、及び該湾曲部に一体形成されて少なくとも接眼方向に延びるクリングスから成る支持体と、前記クリングスの先端に固定されるノーズパッドと、を備えることを特徴としている。
【０００９】
請求項２に記載のノーズパッド取付構造は、請求項１に記載のノーズパッド取付構造であって、前記一対の突起部は、一方の端部が前記ブリッジに埋設されることを特徴としている。
【００１０】
請求項３に記載のノーズパッド取付構造は、請求項１に記載のノーズパッド取付構造であって、前記一対の突起部は、前記ブリッジのほぼ中央に形成された切り欠き部の相対向する側面から突出して設けられたものであることを特徴としている。
【００１１】
請求項４に記載のノーズパッド取付構造は、請求項１又は請求項３に記載のノーズパッド取付構造であって、前記一対の突起部は、前記ブリッジに一体形成されたものであることを特徴としている。
【００１２】
請求項５に記載の眼鏡フレームは、請求項１から請求項４のいずれかに記載のノーズパッド取付構造を用いることを特徴としている。
【発明の効果】
【００１３】
請求項１に記載のノーズパッド取付構造によると、互いに間隔を開けてブリッジから接眼方向に突出して一対の突起部が設けられる一方、この一対の突起部の間に嵌入されて、一対の突起部を互いに離反する方向に付勢しつつ当該一対の突起部にその両端部が固定される弾性体からなる湾曲部、及び接眼方向に延びるクリングスが一体形成されて支持体を構成しており、このクリングスの先端にノーズパッドが固定されているので、ノーズパッドをブリッジから取り外したいときには、湾曲部を一対の突起部から離れるように弾性変形させて取り外すだけで、湾曲部及びクリングスから成る支持体と、クリングスに固定されているノーズパッドとをブリッジから極めて簡単に取り外すことができる。
【００１４】
したがって、クリングスの変形だけではノーズパッドの角度や高さを十分に調整することができない場合やノーズパッドやクリングスを破損した場合などに、極めて簡単にノーズパッドを交換することができる。
【００１５】
しかも、眼鏡を装着するときには左右それぞれのノーズパッドは、装着者の鼻に押し当って、互いに離反する方向に荷重が加わり、クリングスを介して湾曲部にも広がる方向に力が加わるので、湾曲部の両端部はそれぞれ、よりいっそう突起部に押し付けられることになり、湾曲部、クリングス、及びノーズパッドが脱落することを確実に防止できる。
【００１６】
請求項２に記載のノーズパッド取付構造によると、一対の突起部は、一方の端部がブリッジ内に埋設されるので、突起部の強度を十分に保つことができる。
【００１７】
請求項３に記載のノーズパッド取付構造によると、一対の突起部は、ブリッジのほぼ中央に形成された切り欠き部の相対向する側面から突出して設けられたものであるので、ノーズパッドをブリッジから取り外したいときには、湾曲部を一対の突起部から離れるように弾性変形させて切り欠き部から抜き出すだけで、湾曲部及びクリングスから成る支持体と、クリングスに固定されるノーズパッドとをブリッジから極めて簡単に取り外すことができる。したがって、クリングスの変形だけではノーズパッドの角度や高さを十分に調整することができない場合やノーズパッドやクリングスを破損した場合などに、極めて簡単にノーズパッドを交換することができる。
【００１８】
請求項４に記載のノーズパッド取付構造によると、一対の突起部は、ブリッジに一体形成されたものであるので、別途突起部を設ける場合に比べて、部品点数を減らすことができ、製造コストを抑制することができる。
【００１９】
請求項５に記載の眼鏡フレームによると、請求項１から請求項４のいずれかに記載のノーズパッド取付構造を用いるものであるので、極めて簡単にノーズパッドを交換することができ、装着者の鼻の形状に応じて適切な眼鏡フレームとすることができる。
【図面の簡単な説明】
【００２０】
【図１】眼鏡フレームの全体構成を説明する斜視図。
【図２】眼鏡フレームのフロントフレームの構成を説明する図。
【図３】眼鏡フレームのブリッジ部分に設けられたノーズパッド取付構造を説明する一部拡大図。
【図４】眼鏡フレームに埋め込まれる突起部の構成を説明する簡略断面図。
【図５】湾曲部及びクリングスから成る支持部と、クリングスに固定されるノーズパッドと、を示す正面図。
【図６】湾曲部及びクリングスから成る支持部と、クリングスに固定されるノーズパッドと、を示す斜視図。
【図７】ノーズパッド取付構造を眼鏡フレームのブリッジに取り付ける状態を説明する一部拡大図。
【図８】別の実施形態のノーズパッド取付構造を眼鏡フレームのブリッジに取り付ける状態を説明する一部拡大図。
【図９】別の実施形態のノーズパッド取付構造を眼鏡フレームのブリッジに取り付けた状態を説明する一部拡大図。
【発明を実施するための形態】
【００２１】
以下、本発明に係るノーズパッド取付構造１及び当該ノーズパッド取付構造１を用いた眼鏡フレーム２の最良の実施形態について、各図を参照しつつ説明する。
【００２２】
眼鏡フレーム２は、図１に示すように、眼鏡フレーム２の前面であるフロントフレーム３と、このフロントフレーム３の両端に蝶番４を介して連結され、フロントフレーム３に対して折り畳み可能なテンプル５とにより形成されている。
【００２３】
フロントフレーム３は、図１及び図２に示すように、例えばセルロイド、アセテート等の合成樹脂により形成され、装着者の眼を保護し又は視力を補正するのためのレンズ６を固定する枠体としての左右一対のリム７と、このリム７を互いに連結するブリッジ８と、を主要な構成としている。そして、このブリッジ８の接眼側面には、ノーズパッド取付構造１が設けられている。なお、フロントフレーム３は、例えばセルロイド、アセテート等の合成樹脂により形成されているが、合成樹脂に限られるものではなく、例えばチタン等の金属で形成されても良い。また、この実施形態においては、フロントフレーム３を構成するリム７及びブリッジ８は一体形成されるものであるが、それぞれ別々に形成し螺子などで連結するものであっても良く、異なる２以上の材質を用いるものであっても良い。
【００２４】
ノーズパッド取付構造１は、図３及び図４に示すように、ブリッジ８に設けられる一対の突起部９と、この突起部９の間に嵌入されるてその両端部がこの突起部９に固定される湾曲部１０、及びこの湾曲部１０の両端にそれぞれ一体形成されているクリングス１１から成る支持体１２と、このクリングス１１の先端に固定されるノーズパッド１３からなる。一対の突起部９は、互いに例えば１５ｍｍ程度の間隔を開けてブリッジ８に固定される直径１ｍｍ程度の小さな略円柱状の金属部材であり、図４によく示されるように、両端及び中央部に外側に向けて広がるフランジ１４が形成されており、一方の端部がブリッジ８内に埋め込まれて固定されているとともに、他方の端部が接眼方向に突出している。
【００２５】
なお、突起部９は一方の端部がブリッジ８内に埋設されるものでなくてもよく、例えば、ブリッジ８に溶接や接着で固定されるものや、ブリッジ８とともに一体形成されたものであってもよい。また、突起部９の材質は金属に限定されるものではなく、必要な強度を確保できれば樹脂などを用いたものであっても良い。また、突起部９の形状は略円柱状に限定されるものではなく、三角柱状、四角柱状等の略多角柱状であっても良く、ブリッジ８から突出して形成され、湾曲部１０の両端部が引っ掛かることができる形状であれば、いかなる形状であっても良い。
【００２６】
支持体１２は例えばチタンなどの一定の弾性を有する金属で形成されている。図５及び図６に示すように、この支持体１２を構成する湾曲部１０はやや湾曲した弾性体であり、この湾曲部１０の両端に互いに接近する方向に荷重が加わると湾曲部１０が更に湾曲する方向へ弾性変形して、反発する方向に弾性力が働くようになる。この湾曲部１０の両端部にはそれぞれ突起部９に符合するように形成された半円部１５が形成されている。クリングス１１は、湾曲部１０の両端に形成されたこの半円部１５から接眼方向に向けて直立する直立部１６と、その先端近傍に形成され、ノーズパッド１３を角度調整可能にする為に屈曲した角度調整部１７と、から構成されている。なお、本発明の実施形態は、湾曲部１０の両端部に半円部１５が形成されるものに限定されるものではなく、突起部９に符合して固定される種々の形状を採用することができる。
【００２７】
そして、このクリングス１１の先端には、例えばシリコンで形成されたノーズパッド１３が固定されている。このノーズパッド１３は接着、溶接、埋め込み等の種々の方法で固定する事ができるが、ノーズパッド１３のみを交換することもできるように、クリングス１１の先端に金属を巻きつけて固定するものや螺子固定するものなどのように、着脱自在な構成が好ましい。
【００２８】
以上のように構成されるノーズパッド取付構造１を眼鏡フレーム２のブリッジ８に取り付けるときには、図７に示すように、湾曲部１０の両端部、一対のクリングス１１、又は一対のノーズパッド１３に互いに接近する方向に力を加えて、湾曲部１０をより湾曲する方向に弾性変形させる。そして、一対の突起部９の間に湾曲部１０を挿入し、図３に示すように、湾曲部１０の端部に形成された半円部１５をそれぞれの突起部９に当接させる。このとき湾曲部１０は弾性力により一対の突起部９をそれぞれ離反する方向に付勢することになるので、半円部１５が突起部９に強固にかみ合って固定される。したがって、単に湾曲部１０を弾性変形させてより湾曲させ、湾曲部１０の両端に形成された半円部１５を突起部９に当接させるだけで、簡単に、支持体１２及び支持体１２のクリングス１１の先端に固定されるノーズパッド１３を、ブリッジ８に固定することができる。
【００２９】
しかも、眼鏡を装着するときには、一対のノーズパッド１３には装着者の鼻の上で左右に離反する方向に力が加わるので、クリングス１１を介して湾曲部１０にも広がる方向に力が伝わり、湾曲部１０の両端に形成される半円部１５はより強固に突起部９にかみ合うことになり、湾曲部１０に一体形成されるクリングス１１、及びこのクリングス１１に固定されるノーズパッド１３がブリッジ８から脱落することを確実に防止できる。
【００３０】
また、ノーズパッド取付構造１を眼鏡フレーム２のブリッジ８から取り外すときには、一対のクリングス１１又は一対のノーズパッド１３に互いに接近する方向に力を加えて、湾曲部１０をより湾曲する方向に弾性変形させる。これにより湾曲部１０の両端に形成された半円部１５が突起部９から離反する。そして、湾曲部１０に力を加えた状態のまま、一対の突起部９の間から湾曲部１０を引き離すことにより、ブリッジ８から支持体１２及びクリングス１１に固定されるノーズパッド１３をブリッジ８から極めて容易に取り外すことができる。
【００３１】
以上のように、本実施形態のノーズパッド取付構造１によると、湾曲部１０及びクリングス１１から構成される支持体１２とノーズパッド１３とを極めて容易に交換することができるので、例えばクリングス１１の長さの異なる複数の支持体１２を用意しておくことで、装着者の鼻の形状に応じてノーズパッド１３の高さをより適切なものとすることができる。
【００３２】
次に、本願の別の実施形態について図８及び図９を参照しつつ説明する。なお、上述の実施形態と同じ構成については同一の符号を付して説明を省略する。別の実施形態では、例えば、図８及び図９に示すように、ブリッジ８の接眼側面に切り欠き部１８が設けられている。この切り欠き部１８は、眼鏡の装着時に下側となる面が開いた略矩形に切り欠かれている。そしてこの切り欠き部１８の相対向する側面１９には、切り欠き部１８の内側に向かって半円柱状にやや盛り上がってブリッジ８と一体形成された突起部２０が左右それぞれに設けられている。そして、湾曲部１０の両端にはそれぞれこの突起部２０に整合する形状の半円部１５が設けられている。また、湾曲部１０の両端から接眼方向には一対のクリングス１１が延びており、このクリングス１１の先端にはそれぞれノーズパッド１３が固定されている。
【００３３】
以上のように構成されるノーズパッド取付構造１を眼鏡フレーム２のブリッジ８に取り付けるときには、図８に示すように、湾曲部１０の両端部、一対のクリングス１１、又は一対のノーズパッド１３に互いに接近する方向に力を加えて、湾曲部１０をより湾曲する方向に弾性変形させ、一対の突起部９の間に湾曲部１０を挿入し、図９に示すように、湾曲部１０の端部に形成された半円部１５をそれぞれの突起部２０に当接させる。このとき湾曲部１０は弾性力により一対の突起部２０をそれぞれ離反する方向に付勢することになるので、半円部１５が突起部２０に強固にかみ合って固定される。
【００３４】
一方、ノーズパッド取付構造１を眼鏡フレーム２のブリッジ８から取り外すときには、一対のクリングス１１又は一対のノーズパッド１３に互いに接近する方向に力を加えて、湾曲部１０をより湾曲する方向に弾性変形させる。これにより湾曲部１０の両端に形成された半円部１５が突起部２０から離反する。そして、湾曲部１０に力を加えた状態のまま、切り欠き部１８から湾曲部１０を引き出すことにより、ブリッジ８から支持体１２及びクリングス１１に固定されるノーズパッド１３をブリッジ８から極めて容易に取り外すことができる。
【００３５】
このように本願発明は切り欠き部１８を設ける構成においても、ブリッジから突出する突起部９を設ける構成と同様に、極めて簡単に交換することができるので、例えばクリングス１１の長さの異なる複数の支持体１２を用意しておくことで、装着者の鼻の形状に応じてノーズパッド１３の高さをより適切なものとすることができる。
【００３６】
なお、本発明の実施の形態は上述の形態に限ることなく、本発明の思想の範囲を逸脱しない範囲で適宜変更することができる。
【産業上の利用可能性】
【００３７】
本発明に係るノーズパッド取付構造１及び眼鏡フレーム２は、より装着性の良いノーズパッド取付構造１を採用した眼鏡フレーム２として好適に用いることができる。
【符号の説明】
【００３８】
１      ノーズパッド取付構造
２      眼鏡フレーム
７      リム
８      ブリッジ
９      突起部
１０    湾曲部
１１    クリングス
１２    支持体
１３    ノーズパッド
１８    切り欠き部
１９    側面
【図１】
2011064921.tif 000003
【図２】
2011064921.tif 000004
【図３】
2011064921.tif 000005
【図４】
2011064921.tif 000006
【図５】
2011064921.tif 000007
【図６】
2011064921.tif 000008
【図７】
2011064921.tif 000009
【図８】
2011064921.tif 000010
【図９】
2011064921.tif 000011